(57)【要約】【課題】蓄電装置から負荷機器に対して放電する際に使用者の電力使用実態に適合した放電を行い、エネルギーの有効利用を図る電力供給システムを提供する。【解決手段】システムＥＣＵ３１は、負荷機器が使用した電力使用実績を記憶して過去の電力使用実績を書き換え学習情報として更新し、当該学習情報を用いて蓄電池３３からの負荷機器に対する放電を制御する。システムＥＣＵ３１は、当該学習情報を用いて負荷機器が使用する１日の時間帯毎の予測使用電力量を求め、当該時間帯毎の予測使用電力量に基づいて、負荷機器に対して放電する放電実施時間帯を決定する。電力供給システム１００は、１日のうち、上記の放電実施時間帯であるときに、蓄電池３３からの放電を実施する。【選択図】図３
2012186950.tif 000002
【特許請求の範囲】
【請求項１】
電力供給契約に基づいて電力供給元の電力系統（２）から建物（１）に供給される電力を充電可能であるとともに、前記建物（１）側で使用される負荷機器（１４，１５）に対して電力を放電可能である蓄電装置（３３）と、
前記負荷機器が使用した電力使用実績を記憶して過去の電力使用実績を書き換え学習情報として更新し、当該学習情報を用いて前記蓄電装置からの前記負荷機器に対する放電を制御する制御装置（３１）と、を備え、
前記制御装置は、
前記電力使用実績から得られる前記学習情報を用いて前記負荷機器が使用する１日の時間帯毎の予測使用電力量を求め、当該１日の時間帯毎の予測使用電力量に基づいて、前記蓄電装置から前記負荷機器に対して放電する放電実施時間帯、または、放電実施か否かの判定基準としての放電閾値を決定し、
１日のうち、前記決定した放電実施時間帯であるときに、または前記負荷機器が消費する負荷電力が前記決定した放電閾値以上であるときに、前記蓄電装置からの前記負荷機器に対する前記放電を実施することを特徴とする電力供給システム。
【請求項２】
前記制御装置は、
前記蓄電装置からの前記放電を実施しているときに、前記負荷機器が実際に消費する負荷電力を検出して負荷電力の変動を取得し、当該取得した負荷電力の変動に基づいて、前記放電を停止するための放電停止電力値を決定し、
前記負荷機器の実際に消費する負荷電力が当該放電停止電力値以下になったときに、前記蓄電装置からの前記放電を停止することを特徴とする請求項１に記載の電力供給システム。
【請求項３】
前記制御装置は、
前記電力使用実績から得られる前記学習情報を用いて、１日のうち前記負荷機器が消費すると予測される負荷電力が集中する高消費電力時間帯を決定し、
当該高消費電力時間帯以外の時間帯に消費すると予測される負荷電力と当該高消費電力時間帯に消費すると予測される負荷電力とを、前記蓄電装置の蓄電量でまかなうことができないと判定した場合には、前記蓄電装置からの前記放電を当該高消費電力時間帯に優先して実施することを特徴とする請求項１または請求項２に記載の電力供給システム。
【発明の詳細な説明】
【技術分野】
【０００１】
本発明は、建物内の電気機器に対して電力供給するために、蓄電装置からの放電を制御する電力供給システムに関する。
【背景技術】
【０００２】
従来技術として、下記特許文献１に開示された電力供給システムが知られている。この電力供給システムは、電力会社の配電系統と連携し、全住宅共用の蓄電池設備を電力貯蔵手段とし、複数の住宅の負荷機器に電力を供給するシステムである。そして、当該電力供給システムは、各住宅の負荷機器で消費する負荷電力の大きさが一定値以上の場合のみ、各住宅に設置されたパワーコンディショナを介して、蓄電池から放電を行うようにしている。
【先行技術文献】
【特許文献】
【０００３】
【特許文献１】特開２００３−１４３７６３号公報
【発明の概要】
【発明が解決しようとする課題】
【０００４】
しかしながら、上記特許文献１に記載の電力供給システムでは、当該負荷電力の大きさが一定値以上の場合のみ、蓄電池から、各住宅の負荷に対して放電を行うようにしているため、蓄電池の蓄電能力、使用者の電力使用実態にかかわらず、放電の実施及び停止がなされる。したがって、蓄電池に蓄えた電力の有効活用が十分でないという問題がある。
【０００５】
そこで本発明は、上記問題点に鑑みてなされたものであり、その目的は、蓄電装置から負荷機器に対して放電する際に使用者の電力使用実態に適合した放電を行い、エネルギーの有効利用を図る電力供給システムを提供する。
【課題を解決するための手段】
【０００６】
上記目的を達成するため、以下の技術的手段を採用する。すなわち、請求項１に記載の電力供給システムに係る発明は、電力供給契約に基づいて電力供給元の電力系統（２）から建物（１）に供給される電力を充電可能であるとともに、建物（１）側で使用される負荷機器（１４，１５）に対して電力を放電可能である蓄電装置（３３）と、負荷機器が使用した電力使用実績を記憶して過去の電力使用実績を書き換え学習情報として更新し、当該学習情報を用いて蓄電装置からの負荷機器に対する放電を制御する制御装置（３１）と、を備え、
制御装置は、
電力使用実績から得られる学習情報を用いて負荷機器が使用する１日の時間帯毎の予測使用電力量を求め、当該１日の時間帯毎の予測使用電力量に基づいて、蓄電装置から負荷機器に対して放電する放電実施時間帯、または、放電実施か否かの判定基準としての放電閾値を決定し、
１日のうち、当該決定した放電実施時間帯であるときに、または負荷機器が消費する負荷電力が当該決定した放電閾値以上であるときに、蓄電装置からの負荷機器に対する放電を実施することを特徴とする。
【０００７】
この発明によれば、電力使用実績から得られる学習情報を用いて負荷機器の時間帯毎の予測使用電力量を求めるため、当該予測使用電力量は、使用者の使用実態に適した予測値となる。したがって、蓄電装置からの負荷機器に対する放電を実施する際の判断基準である放電実施時間帯や放電閾値は、使用者の使用実態に適した当該予測使用電力量に基づいて決定したものであるため、本発明は、個々の使用者にとって最適な放電制御を提供することができる。このように、蓄電装置から負荷機器に対して放電する際に使用者の電力使用実態に適合した放電を実施でき、エネルギーの有効利用を図る電力供給システムが得られるのである。
【０００８】
請求項２に記載の発明は、請求項１に記載の発明において、制御装置は、蓄電装置からの放電を実施しているときに、負荷機器が実際に消費する負荷電力の変動を取得し、当該取得した実際の負荷電力の変動に基づいて、前記放電を停止するための放電停止電力値を決定し、負荷機器の実際に消費する負荷電力が当該放電停止電力値以下になったときに、蓄電装置からの放電を停止することを特徴とする。
【０００９】
この発明によれば、蓄電池の放電開始後に、放電を停止するための条件を実際の負荷機器による負荷電力にしたがって適正に設定することが可能である。この設定により、学習情報から得られた電力使用の予測とは異なる電力使用実態が実際に生じた場合に、柔軟な放電制御を実施でき、適正な放電を実施可能な電力供給システムを提供することができる。したがって、様々な電力使用状況に対応できる汎用性の高い電力供給システムを提供できる。
【００１０】
請求項３に記載の発明は、請求項１または請求項２に記載の発明において、制御装置は、電力使用実績から得られる学習情報を用いて、１日のうち負荷機器によって消費されると予測される負荷電力が集中する高消費電力時間帯を決定し、当該高消費電力時間帯以外の時間帯に消費すると予測される負荷電力と当該高消費電力時間帯に消費すると予測される負荷電力とを、蓄電装置の蓄電量でまかなうことができないと判定した場合には、蓄電装置からの放電を当該高消費電力時間帯に優先して実施することを特徴とする。
【００１１】
この発明によれば、他の時間帯よりも負荷電力の集中する高消費電力時間帯を、電力需要の観点から最重要時間帯として認識し、蓄電池の蓄電量を他の時間帯よりも高消費電力時間帯に優先して振り分けることができる。したがって、系統電力から充電した蓄電池の蓄電量を電力の高需要時間帯に活用できるので、使用者の利便性の向上及び電力の有効利用が図れる。また、高消費電力時間帯は、学習情報を用いて決定されるため、使用者の使用実態に適合した重要な電力需要時間帯を抽出することができる。
【００１２】
なお、上記各手段に付した括弧内の符号は、後述する実施形態記載の具体的手段との対応関係を示す一例である。
【図面の簡単な説明】
【００１３】
【図１】本発明を適用した第１実施形態における電力供給システムの概略構成を示す模式図である。
【図２】電力供給システムにおける蓄電池からの放電制御に関わる構成を示したブロック図である。
【図３】電力供給システムにおける１日の作動例を示したフローチャートである。
【図４】第１実施形態における蓄電池の放電制御ルーチンの処理手順を示したフローチャートである。
【図５】本発明を適用した第２実施形態における蓄電池の放電制御ルーチンの処理手順を示したフローチャートである。
【図６】本発明を適用した第３実施形態における蓄電池の放電制御ルーチンの処理手順を示したフローチャートである。
【図７】本発明を適用した第４実施形態における蓄電池の放電制御ルーチンの処理手順を示したフローチャートである。
【発明を実施するための形態】
【００１４】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合わせることも可能である。
【００１５】
（第１実施形態）
本発明を適用した第１実施形態に関して、図１〜図４を用いて説明する。図１は第１実施形態における電力供給システム１００の概略構成を示す模式図である。図２は、電力供給システム１００における蓄電池３３からの放電制御に関わる構成を示したブロック図である。
【００１６】
図示する電力供給システム１００は、電力供給契約に基づいて電力供給元（電力会社）の電力系統２から建物１に供給される電力を蓄電池３３に充電可能であるとともに、電力系統２から供給される電力を建物１側で使用される負荷機器（２００Ｖ機器１４、１００Ｖ機器１５等）に対して供給可能であり、蓄電池３３に蓄電された電力を当該負荷機器に対して放電可能である。また、電力供給システム１００は、自然エネルギー利用の一例である太陽光発電装置を備え、太陽光発電装置が発電した電力を負荷機器に供給可能であるとともに、蓄電池３３に充電可能である。
【００１７】
電力供給システム１００では、電力供給契約に基づいて他の時間帯よりも安価な電気料金の時間帯である、例えば、深夜料金時間帯（２３時から７時の時間帯）の電力を、蓄電池３３に蓄電する。電力供給システム１００は、深夜料金時間帯に蓄えた蓄電池３３の蓄電量を、電力供給元へ売電するよりも、昼間に負荷機器の作動のために供給して使い切るように蓄電池３３の放電を制御している。これは、電力供給元への売電では売電電力が有効利用されていない可能性もあるため、昼間の負荷機器作動のために使用する方が確実に電力の有効活用が図れるからである。
【００１８】
電力供給システム１００は、上記の負荷機器が使用した電力使用実績を記憶し、記憶した電力使用実績を過去の電力使用実績に対して新たな電力使用実績として書き換えて学習する機能を備える。電力供給システム１００は、更新し続ける学習情報を用いて、蓄電池３３からの負荷機器に対する放電を制御することで、使用者の実際の電力使用実態に適合した放電制御を実施する。
【００１９】
電力供給システム１００は、昼間に使用する電力が蓄電池３３の蓄電量でまかなうことができない場合には、その不足分を太陽光発電装置が発電している場合はその発電量で補い、太陽光発電装置が発電していない場合は電力系統２からの供給電力で補う。また、太陽光発電装置の発電によって余剰電力が生じているときは、電力供給元へ売電したり、蓄電池３３に蓄電したりすることができる。
【００２０】
図１に示すように、電力供給システム１００は、例えば一般住宅である建物１内に配線された交流電源線７と、交流電源線７に電気的に接続された負荷機器と、交流電源線７に電気的に接続された蓄電ユニット３０と、蓄電ユニット３０に直流電源線で接続された操作パネル１７と、太陽光によって発電する太陽光発電装置と、を備えている。電力会社の電力系統２から供給される購入電力を建物１内に導入する交流電源線７には、売電電力を計測する売電電力計３、及び導入する系統電力を計測する電力量計４が配設されている。
【００２１】
建物１内に配線された交流電源線７は、例えば、１本の中性線と２本の電圧線とからなる単相３線式の電源線であり、電力会社の電力系統２の系統電力が分電盤１８を介して供給されるようになっている。分電盤１８には、各回路系統に流れる電流上限値を規制する、主幹ブレーカ８、太陽光発電装置用のブレーカ９、２００Ｖ負荷機器用のブレーカ１０、１００Ｖ負荷機器用のブレーカ１１、蓄電ユニット３０用のブレーカ１２が配設されている。また、ブレーカ１２が配設される交流電源線７には、蓄電ユニット３０内部において蓄電ユニット３０用のブレーカ１３が配設されている。交流電源線７は、分電盤１８内において、太陽光発電用パワーコンディショナ６（以下、太陽光発電ＰＣＳ６ともいう）、双方向パワーコンディショナ３２（以下、双方向ＰＣＳ３２ともいう）、２００Ｖ機器１４、及び１００Ｖ機器１５に分岐している。
【００２２】
主幹ブレーカ８は、単相３線式２００Ｖ仕様、中性線欠相保護付きの漏電検知ブレーカである。中性線欠相保護付きとは、中性線が何らかの理由で欠相すると、軽負荷側の電圧線と中性線との間の電圧が上昇し、機器側に高電圧がかかることを防ぐため、中性線欠相時に自動的に回路を遮断する機能を有することである。太陽光発電装置用のブレーカ９は、単相３線式２００Ｖ仕様、中性線欠相保護付きの漏電検知ブレーカであり、逆接続対応タイプである。ブレーカ１０は、建物１内のＩＨ電化機器、エアコン等の２００Ｖ機器１４への上限電流を規制する、単相２線式２００Ｖ仕様の漏電検知ブレーカである。ブレーカ１１は、建物１内の１００Ｖ仕様の電化製品等である１００Ｖ機器１５への上限電流を規制する、単相２線式１００Ｖ仕様の漏電検知ブレーカである。ブレーカ１２及びブレーカ１３は、蓄電ユニット３０との間の上限電流を規制する、単相３線式２００Ｖ仕様、中性線欠相保護付きの漏電検知ブレーカであり、逆接続対応タイプである。
【００２３】
主幹ブレーカ８よりも上流側の電源線には、逆潮流電流を検出する逆潮流電流検出器４０が設けられている。主幹ブレーカ８よりも下流側の電源線には、負荷機器に供給される電流と蓄電池３３に供給される電流との合計電流を検出する電流検出器４１が設けられている。ブレーカ１０よりも下流側の電源線には、負荷機器のうち２００Ｖ機器１４に供給される電流を検出する電流検出器４２が設けられている。ブレーカ１１よりも下流側の電源線には、負荷機器のうち１００Ｖ機器１５に供給される電流を検出する電流検出器４３，４４が設けられている。各電流検出器４１，４２，４３，４４で検出される電流値は、消費電力演算ＥＣＵ１６に入力され、逆潮流電流検出器４０で検出される電流値は、システムＥＣＵ３１に入力される。消費電力演算ＥＣＵ１６は、各電流検出器４１，４２，４３，４４で検出する電流値等を用いて、建物１側の負荷機器等で消費する消費電力を演算する制御装置である。
【００２４】
太陽光発電装置は、自然エネルギーの一例である太陽光による発電電力を、交流電源線７に系統外電力として供給する。太陽光発電装置は、建物１の屋根に設けた太陽光発電パネル５と、太陽光発電パネル５で発電した太陽光電力が供給される太陽光発電ＰＣＳ６とを備える。太陽光発電ＰＣＳ６は、交流電源線７に電気的に接続され、太陽光発電パネル５からの直流電力を交流電力に変換して、交流電源線７へ放電する。また太陽光発電ＰＣＳ６は、各種の制御装置と通信可能に構成されている。
【００２５】
交流電源線７には、例えば建物１の外部に設置された蓄電ユニット３０（蓄電システム、ｅ−Ｓｔａｔｉｏｎと呼ばれることもある）が接続されている。蓄電ユニット３０は、双方向ＰＣＳ３２、蓄電池３３、システムＥＣＵ３１等を備えている。蓄電池３３は、例えばリチウムイオン電池等の二次電池からなる単位電池を複数組み合わせた集合体である。
【００２６】
双方向ＰＣＳ３２は、例えば、充放電・ＰＣＳ制御用基盤、電力変換回路、通信基盤等を備えている。蓄電池３３は、この双方向ＰＣＳ３２を介して交流電源線７に電気的に接続され、交流電源線７からの交流電力を充電したり、蓄電された直流電力を交流電源線７へ放電したりすることが可能である。
【００２７】
システムＥＣＵ３１は、電力供給システム１００における蓄電池３３の充放電制御を司る制御装置であり、双方向ＰＣＳ３２と通信可能に接続され、例えば通信規格ＲＳ４８５の通信により、双方向ＰＣＳ３２の作動及び蓄電池３３の作動を制御する。またシステムＥＣＵ３１は、双方向ＰＣＳ３２を介して蓄電池３３に搭載された蓄電池監視ＥＣＵとも通信可能に接続されている。さらにシステムＥＣＵ３１は、使用者が操作したり、表示画面を確認したりする操作パネル１７と低電圧の直流電源線を介して接続されるとともに、通信可能に接続され、操作パネル１７の表示画面を制御する。このように、システムＥＣＵ３１は、電力供給システム１００に関わる各種制御装置、各種検出器等と通信可能に構成されて相互に各種情報交換を行うことができ、各部の作動を制御する。
【００２８】
操作パネル１７は、例えば、建物１内に配設される遠隔操作可能なリモートコントローラである。操作パネル１７は、消費電力演算ＥＣＵ１６と通信可能に接続されている。操作パネル１７は、例えば、図２に示すように、記憶部１７１及び演算部１７２を含んでいる。記憶部１７１は、消費電力演算ＥＣＵ１６から入力される負荷機器の負荷電力（消費電力の実績値）を当該負荷機器が使用した電力使用実績として記憶し、過去の電力使用実績を当該記憶する電力使用実績に書き換え、学習情報として更新する。更新される学習情報は、蓄電池３３から負荷機器に対して放電するときに用いられ、具体的には、演算部１７２が放電実施か否かの基準となる放電閾値に基づく放電実施時間帯を決定するときに用いられる。
【００２９】
システムＥＣＵ３１は、充放電許可部３１１及び電力指示部３１２を含んでいる。充放電許可部３１１は、演算部１７２による演算結果と、予め設定された制御プログラムや更新可能な制御プログラムとを用いた演算により、充電許可及び放電許可を決定し、許可と決定した場合には双方向ＰＣＳ３２の充放電実行部３２１に指令する。放電制御の場合には、充放電許可部３１１は、演算部１７２によって決定された放電実施時間帯と、後述する図３及び図４に示す制御プログラムを用いた演算により、放電許可か否かを決定する。電力指示部３１２は、充放電許可部３１１が充電許可または放電許可を決定した場合に、充電電力または放電電力を双方向ＰＣＳ３２の電力調整部３２２に送信して指示する。
【００３０】
双方向ＰＣＳ３２の電力調整部３２２は、電力指示部３１２からの指示にしたがって電力調整を行う。双方向ＰＣＳ３２の充放電実行部３２１は、電力調整部３２２によって調整される電力にしたがって、充電電力制御または放電電力制御を実施する。電力調整部３２２または充放電実行部３２１は、電力変換回路、充放電・ＰＣＳ制御用基盤によって構成することができる。
【００３１】
また、システムＥＣＵ３１は、蓄電池３３から交流電源線７へ放電しているときに、逆潮流電流検出器４０からの入力信号に基づいて交流電源線７から電力系統２への電力逆潮流現象の発生を検出した場合には、放電を禁止するように充放電・ＰＣＳ制御用基盤を制御する。また、双方向ＰＣＳ３２のＤＣ／ＤＣコンバータからは、システムＥＣＵ３１と、システムＥＣＵ３１を介して操作パネル１７へ直流電源線が延びており、電力系統２の系統電力が停電した場合にもシステムＥＣＵ３１や操作パネル１７を作動可能としている。
【００３２】
次に、電力供給システム１００の作動例について図３及び図４にしたがって説明する。図３は、電力供給システム１００における１日の作動例を示したフローチャートである。図４は、図３のフローチャートにおける蓄電池の放電制御ルーチンの処理手順を示したフローチャートである。以下に説明する作動は、システムＥＣＵ３１が主要な制御手段となって制御される。
【００３３】
図３に示すように、電力供給システム１００が作動状態にあるとき、まず、ステップＳ１で、現在時刻が深夜料金時間帯（例えば、２３時から翌朝の７時までの時間帯）であるか否かを判定する。深夜料金時間でない場合は、深夜料金時間帯以外の昼間時間帯であるため、深夜電力を蓄電池３３に充電することはできない。したがって、後述するステップＳ５の「蓄電池の充放電制御ルーチン」に進む。
【００３４】
ステップＳ１で、現在時刻が深夜料金時間であると判定すると、深夜電力を蓄電池３３に蓄電する「蓄電池の充電ステップ」を実施する（ステップ２）。蓄電池の充電ステップでは、記憶部１７１に記憶された負荷機器の電力使用実績に係る学習情報を用いて、蓄電池３３でまかなう必要のある電力量を算出する。蓄電池３３の充電は、ステップ３で、蓄電池３３の蓄電量が深夜料金時間帯において当該電力量に等しい量に到達したと判定するまで行われる。なお、当該電力量は、例えば、学習情報を用いて求めた負荷機器の使用電力予測量に対し、太陽光発電装置で翌日に発電できると予測される予測発電量でまかなうことができない不足分である。予測発電量は、例えば、過去の発電実績値と翌日の天候予測とを用いて求めることができる。また、蓄電池の充電制御は、当該電力量が深夜料金時間帯終了までに蓄電池３３に蓄電できるように逆算して蓄電池３３への充電電流を求め、系統電力を当該充電電流に制御することによって実施する。
【００３５】
ステップ３で、蓄電池３３の充電が完了したと判定すると、ステップ４で深夜料金時間帯が終了したと判定するまで待機する。ステップ４で深夜料金時間帯が終了したと判定すると、深夜料金時間帯以外の時間帯（例えば、翌朝の７時以降の時間帯）に突入したため、ステップ５で、「蓄電池の放電制御ルーチン」を実行する。「蓄電池の放電制御ルーチン」は、本発明に係る特徴的制御であり、蓄電池３３から負荷機器に供給する放電に係るルーチンである。
【００３６】
次に、図４にしたがって、ステップ５の「蓄電池の放電制御ルーチン」を説明する。まず、ステップ１０で、記憶部１７１に記憶されている負荷機器の消費電力実績に関わる学習情報を読み込む処理を実行し、ステップ２０に移る。過去の電力使用実績は、過去の予め定めた日数分の実績（例えば１４日分の実績）である。例えば、平日実績値と休日（土、日）実績値との２種類がある場合には、読み込む際、読み込むときの曜日に応じていずれか１種類の実績に係る学習情報が選択される。
【００３７】
ステップ２０では、読み込んだ学習情報に基づいて、今日１日における時間帯毎の予測使用電力量の分布を求める。そして、蓄電池３３の放電効率を所定の効率以上に確保すること、蓄電池３３の蓄電量を有効に使い切ることを判断基準として、当該時間帯毎の予測使用電力量の分布に対して放電を実施するか否かを決定するための放電閾値を求める。さらに当該予測使用電力量の分布において、放電閾値以上の予測使用電力量を示す時間帯を、放電を実施すべき放電実施時間帯として決定する。蓄電池３３の放電効率は、例えば、蓄電池３３からの放電電力に対する、放電時に回路基板等から消費する損失電力の割合が大きいほど効率が悪く、当該割合が小さいほど高効率である。
【００３８】
つまり、このようにして求めた放電閾値は、学習情報に基づいて求めた予測使用電力量が放電閾値以上であるときは、蓄電池３３からの放電を実施することが上記の判断基準を満たすことになり、放電閾値未満であるときは、蓄電池３３からの放電を実施しないことが上記の判断基準を満たすことになる、という閾値である。
【００３９】
また、この１日の時刻に対する予測使用電力量の分布は、一定でなく、変動幅の大きい分布になり得る。例えば、２人の子供がいる４人家族を構成する使用者のケースでは、午前中は、登校前や出勤前の早朝は、負荷機器で使用される予測使用電力量が一時的に大きくなるが、その時間は短い。登校後や出勤後は、建物１内で活動している人数が少なくなるため、予測使用電力量は急激に小さくなり、その変動も小さくなる。この傾向は、午後３時頃まで続くが、例えば午後５時以降の夕方から夜にかけては、子供の帰宅による電化製品の稼動増、夕食や風呂の準備のための給湯等の電力消費増によって、急激に予測使用電力量が増大し、この状態が比較的長く継続する。
【００４０】
このようなケースでは、午前中の時間帯及び夕方までの時間帯では、予測使用電力量が小さいため、この時間帯に蓄電池３３からの放電電力を供給することは、上記判断基準の観点から、好ましくない。例えば、この時間帯は、蓄電池３３からの放電を実施するよりも、太陽光発電装置による発電電力や系統電力を負荷機器に供給する方が好ましいのである。一方、夕方以降の時間帯では、予測使用電力量が増大するため、この時間帯に蓄電池３３からの放電電力を供給することは、高効率、電力の有効活用の観点から好ましいのである。このような時間帯に蓄電池の放電を実施可能なように、放電実施時間帯を決定することが、使用者の電力使用実態に適した放電制御を実現でき、系統電力の利用、ひいては自然エネルギーの利用において、環境及び使用者に対して有益なエネルギー利用が促進できるのである。
【００４１】
次にステップ３０では、このようにして決定した放電実施時間帯になったか否かを判定し、放電実施時間帯になったと判定すると、ステップ４０で、充放電許可部３１１は充放電実行部３２１に対して放電許可を指示する。そして、ステップ５０で充放電実行部３２１は、蓄電池３３の放電を実施する。
【００４２】
蓄電池３３の放電は、ステップ６０で放電実施時間帯が終了したと判定するまで継続する。ステップ６０で放電実施時間帯の終了を判定すると、ステップ７０で蓄電池３３からの放電を終了し、「蓄電池の放電制御ルーチン」を終了する。
【００４３】
「蓄電池の放電制御ルーチン」を終了するとステップ６で、現在時刻が深夜料金時間帯か否かを判定する。現在時刻が深夜料金時間帯になると、ステップ７で、今日の深夜料金時間帯以外の時間帯における蓄電池３３の放電実績を記憶部１７１に記憶させ、負荷機器の電力使用実績を更新し、ステップ２に進み、上記の各ステップを継続的に実行する。
【００４４】
本実施形態の電力供給システム１００がもたらす作用効果について説明する。電力供給システム１００は、負荷機器が使用した電力使用実績を記憶して過去の電力使用実績を書き換え学習情報として更新し、当該学習情報を用いて蓄電池３３からの負荷機器に対する放電を制御する。電力供給システム１００は、電力使用実績から得られる学習情報を用いて負荷機器が使用する１日の時間帯毎の予測使用電力量を求め、当該時間帯毎の予測使用電力量に基づいて、蓄電池３３から負荷機器に対して放電する放電実施時間帯を決定する。電力供給システム１００は、１日のうち、上記決定した放電実施時間帯であるときに、蓄電池３３からの放電を実施する。
【００４５】
この制御によれば、電力使用実績から得られる学習情報を用いて負荷機器の時間帯毎の予測使用電力量を求めるため、当該予測使用電力量は、使用者の使用実態に適した予測値となる。したがって、蓄電池３３からの負荷機器に対する放電を実施するためのトリガーである放電実施時間帯は、使用者の使用実態に適した当該予測使用電力量に基づいて決定したものである。このため、本実施形態は、個々の使用者にとって最適な放電制御を提供する。このように、蓄電池３３から負荷機器に対して放電する際に使用者の電力使用実態に最適な放電が実施可能であり、エネルギーの有効利用を図る電力供給システム１００が得られる。
【００４６】
また、蓄電池３３の放電の際には、回路基板等で一定の電力が消費されることになる。このため、当該負荷電力が大きくない場合には、放電時の回路基板等での消費電力が蓄電池３３の供給電力に対して占める割合は大きくなる。したがって、このような場合には、蓄電池３３の放電効率が低下するため、エネルギー有効活用上好ましくないという問題がある。本実施形態は、蓄電池３３の放電効率を所定の効率以上に確保すること、蓄電池３３の蓄電量を有効に使い切ることを判断基準として、放電実施時間帯を決定するため、上記問題を解消し、エネルギー有効活用上好ましい放電制御を提供できる。
【００４７】
（第２実施形態）
第２実施形態では、第１実施形態で説明した「蓄電池の放電制御ルーチン」の他の形態として、図５に記載する特徴的な制御を説明する。図５は、第２実施形態における蓄電池の放電制御ルーチンの処理手順を示したフローチャートである。本実施形態で特に説明しない構成、作用、制御、同じステップ符号を付した処理等は、第１実施形態と同様であるとし、その作用効果も同様である。
【００４８】
本実施形態に記載する特徴的な「蓄電池の放電制御ルーチン」は、図５に示すように、第１実施形態の図４に記載のフローに対して、ステップ６０Ａ１、ステップ６０Ａ２、及びステップ６０Ａ３が異なる。
【００４９】
以下、第１実施形態の制御と異なる点について説明する。図５に示すように、第２実施形態の制御に係るフローチャートでは、ステップ５０の「蓄電池の放電実施」後、当該放電を終了する条件を、実際の負荷電力に基づいて決定する。そして、決定した放電終了条件が満たされたときに蓄電池の放電を終了することを特徴としている。
【００５０】
ステップ５０の「蓄電池の放電実施」後、ステップ６０Ａ１で、負荷機器が必要とする実際の負荷電力を検出して監視する。実際の負荷電力とは、２００Ｖ機器１４、１００Ｖ機器１５等の負荷機器が蓄電池３３の放電中に実際に必要とする電力である。この実際の負荷電力は、学習情報から求めた、時間帯に対する予測使用電力量の分布と乖離することがある。例えば、実際の負荷電力が、予測値よりも小さい場合や、一時的に増加したり低下したりして大きな上下動を呈する場合である。
【００５１】
このように実際の負荷電力をモニタリングすることにより、予測値とは大きく異なった電力使用が生じた場合に、現状に適した放電制御を実施することが可能になるのである。そこで、ステップ６０Ａ２では、モニタリングした実際の負荷電力に基づいて、放電を停止する条件となる放電停止電力値を決定する。この放電停止電力値は、実際の負荷電力がこれ以下になると、放電効率の観点から、蓄電池３３の放電を停止するという閾値である。
【００５２】
ステップ６０Ａ３で、放電中に実際の負荷電力が放電停止電力値以下になったか否かを判定する。ステップ６０Ａ３で放電停止電力値以下になったと判定するまで、蓄電池３３からの放電は継続する。ステップ６０Ａ３で放電停止電力値以下になったと判定すると、ステップ７０で蓄電池３３からの放電を終了し、「蓄電池の放電制御ルーチン」を終了する。
【００５３】
本実施形態の電力供給システム１００がもたらす作用効果について説明する。電力供給システム１００は、蓄電池３３からの負荷機器への放電を実施しているときに、負荷機器が必要とする実際の負荷電力を検出して負荷電力の変動を取得する（ステップ６０Ａ１）。そして、取得した負荷電力の変動に基づいて、蓄電池３３からの放電を停止するための放電停止電力値を決定する（ステップ６０Ａ２）。負荷機器への負荷電力が当該放電停止電力値以下になったときに、蓄電池３３からの放電を停止する（ステップ６０Ａ２）。
【００５４】
この制御によれば、蓄電池の放電を開始した後に、放電を停止するための条件を実際の負荷機器による負荷電力にしたがって、設定することができる。この設定により、学習情報から得られた電力使用の予測量とは異なる電力使用が生じた場合にも、現実の状況に応じた適正なエネルギー利用を実施することが可能になる。すなわち、他の時間帯よりも安価な深夜料金時間帯に蓄電池３３に蓄えられた蓄電量を、高効率放電を確保できる条件で使用することができるのである。したがって、過去の電力使用実績からは予測できない電力使用状況において、適正な放電を実施可能とする電力供給システム１００を提供することができる。
【００５５】
（第３実施形態）
第３実施形態では、第１実施形態や第２実施形態で説明した「蓄電池の放電制御ルーチン」の他の形態として、図６に記載する特徴的な制御を説明する。図６は、第３実施形態における蓄電池の放電制御ルーチンの処理手順を示したフローチャートである。本実施形態で特に説明しない構成、作用、制御、同じステップ符号を付した処理等は、第１実施形態または第２実施形態と同様であるとし、その作用効果も同様である。
【００５６】
本実施形態に記載する特徴的な「蓄電池の放電制御ルーチン」は、図６に示すように、第１実施形態の図４に記載のフローに対して、ステップ２０Ｂ、ステップ２５、ステップ３０Ｂ、ステップ６０Ｂ１、及びステップ６０Ｂ２が異なる。なお、ステップ６０Ｂ１については、第２実施形態の図５に記載のステップ６０Ａ１と同じ処理である。
【００５７】
以下、第１実施形態の制御と異なる点について説明する。図６に示すように、第３実施形態の制御に係るフローチャートでは、ステップ１０の後、学習情報に基づく放電閾値を決定する（ステップ２０Ｂ）。ステップ２０Ｂでは、まず、読み込んだ学習情報に基づいて、今日１日における時間帯毎の予測使用電力量の分布を求める。そして、蓄電池３３の放電効率を所定の効率以上に確保すること、蓄電池３３の蓄電量を有効に使い切ることを判断基準として、当該時間帯毎の予測使用電力量の分布に対して放電を実施するか否かを決定するための放電閾値を求める。このようにして求めた放電閾値は、学習情報に基づいて求めた予測使用電力量が放電閾値以上であるときは、蓄電池３３からの放電を実施することが上記の判断基準を満たすことになり、放電閾値未満であるときは、蓄電池３３からの放電を実施しないことが上記の判断基準を満たすことになるように設定された閾値である。
【００５８】
次にステップ２５で、負荷機器が電力供給を要求した場合、その負荷電力を検出する。そしてステップ３０Ｂで、負荷危機が要求する負荷電力がステップ２０Ｂで決定した放電閾値以上であるか否かを判定する。負荷機器の負荷電力が放電閾値未満である場合は、ステップ２５に戻る。負荷機器の負荷電力が放電閾値以上であると判定すると、ステップ４０、ステップ５０を順に実行して蓄電池３３からの負荷機器に対する放電を実施する。ステップ５０の「蓄電池の放電実施」後、ステップ６０Ｂ１で、第２実施形態のステップ６０Ａ１と同様に、負荷機器が必要とする実際の負荷電力を検出して監視する。
【００５９】
そしてステップ６０Ｂ２で、放電中に実際の負荷電力が放電閾値未満になったか否かを判定する。ステップ６０Ｂ２で実際の負荷電力が放電閾値未満になったと判定するまで、「蓄電池からの放電」及び「実際の負荷電力のモニタリング」は継続する。ステップ６０Ｂ２で実際の負荷電力が放電閾値未満になったと判定すると、ステップ７０で蓄電池３３からの放電を終了し、「蓄電池の放電制御ルーチン」を終了する。
【００６０】
本実施形態の電力供給システム１００がもたらす作用効果について説明する。電力供給システム１００は、負荷機器が使用した電力使用実績を記憶して過去の電力使用実績を書き換え学習情報として更新し、当該学習情報を用いて蓄電池３３からの負荷機器に対する放電を制御する。電力供給システム１００は、電力使用実績から得られる学習情報を用いて負荷機器が使用する１日の時間帯毎の予測使用電力量を求め、当該時間帯毎の予測使用電力量に基づいて、放電実施か否かの判定基準としての放電閾値を決定する。電力供給システム１００は、１日のうち、負荷機器の負荷電力が上記決定した放電閾値以上であるときに、蓄電池３３からの放電を実施する。
【００６１】
この制御によれば、電力使用実績から得られる学習情報を用いて負荷機器の時間帯毎の予測使用電力量を求めるため、当該予測使用電力量は、使用者の使用実態に適した予測値となる。したがって、蓄電池３３からの負荷機器に対する放電を実施するためのトリガーである放電閾値は、使用者の使用実態に適した当該予測使用電力量に基づいて決定したものである。このため、本実施形態は、個々の使用者にとって最適な放電制御を提供する。このように、蓄電池３３から負荷機器に対して放電する際に使用者の電力使用実態に最適な放電が実施可能であり、エネルギーの有効利用を図る電力供給システム１００が得られる。
【００６２】
また、蓄電池３３の放電の際には、回路基板等で一定の電力が消費されることになる。このため、当該負荷電力が大きくない場合には、放電時の回路基板等での消費電力が蓄電池３３の供給電力に対して占める割合は大きくなる。したがって、このような場合には、蓄電池３３の放電効率が低下するため、エネルギー有効活用上好ましくないという問題がある。本実施形態は、蓄電池３３の放電効率を所定の効率以上に確保すること、蓄電池３３の蓄電量を有効に使い切ることを判断基準として、放電閾値を決定するため、上記問題を解消し、エネルギー有効活用上好ましい放電制御を提供できる。
【００６３】
（第４実施形態）
第４実施形態では、第１実施形態で説明した「蓄電池の放電制御ルーチン」の他の形態として、図７に記載する特徴的な制御を説明する。図７は、第４実施形態における蓄電池の放電制御ルーチンの処理手順を示したフローチャートである。本実施形態で特に説明しない構成、作用、制御、同じステップ符号を付した処理等は、第１実施形態と同様であるとし、その作用効果も同様である。
【００６４】
本実施形態に記載する特徴的な「蓄電池の放電制御ルーチン」は、図７に示すように、第１実施形態の図４に記載のフローに対して、ステップ２０Ｃの処理及びステップ３０Ｃ１の判定を実行する点が大きく相違する。ステップ２０Ｃでは、記憶部１７１に記憶された電力使用実績から得られる学習情報を用いて、１日のうち負荷機器が消費すると予測される負荷電力が集中する高消費電力時間帯を決定する。ステップ３０Ｃ１では、当該高消費電力時間帯以外の時間帯に必要な負荷電力に加えて当該高消費電力時間帯に必要な負荷電力が、蓄電池３３の蓄電量でまかなうことが可能か否かを判定する。そして、ステップ３０Ｃ１で、可能でないと判定すると、当該高消費電力時間帯に蓄電池３３からの放電を実施する。
【００６５】
上記の相違点により、第４実施形態に係る蓄電池の放電制御は、例えば、深夜料金時間帯以外の時間帯のうち、負荷機器の予測使用電力量が集中する高消費電力時間帯において蓄電池３３の蓄電量からの供給が不足しないように、当該高消費電力時間帯での蓄電池３３の放電を優先することを特徴としている。
【００６６】
以下、第１実施形態の制御と異なる点について説明する。図７に示すように、第４実施形態の制御に係るフローチャートでは、ステップ２０の後、学習情報に基づいて高消費電力時間帯を決定する（ステップ２０Ｃ）。ステップ２０Ｃでは、１日における蓄電池３３からの放電可能な時間帯について、学習情報を用いて時間帯毎の予測使用電力量の分布を求める。そして、当該予測使用電力量の分布から、他の時間帯よりも著しく使用電力量が多い時間帯を選定し、この時間帯での蓄電池３３からの供給電力が１日うち最も重要な放電電力であると位置づけ、これを高消費電力時間帯の放電運転とする。当該高消費電力時間帯は、例えば、上述のように、午後５時以降の夕方から夜にかけての時間帯であり、この時間帯は、子供の帰宅による電化製品の稼動増、夕食や風呂の準備のための給湯等の電力消費増によって、急激に予測使用電力量が増大し、この状態が比較的長く継続する時間帯である。
【００６７】
次にステップ３０Ｃ１で、上述のように、蓄電池３３に現在蓄えられている蓄電量によって、当該高消費電力時間帯以外の時間帯の予測使用電力量をまかなうことができ、さらに当該高消費電力時間帯の予測使用電力量もまかなうことが可能か否かを判定する。そして、ステップ３０Ｃで、まかなうことが可能であると判定すると、ステップ３０Ｃ２で、前述のステップ２０で決定した放電実施時間帯になったか否かを判定する。ステップ３０Ｃ２で、放電実施時間帯になったと判定すると、ステップ４０、ステップ５０、ステップ６０、ステップ７０を順に実行し、蓄電池３３からの放電を終了し、「蓄電池の放電制御ルーチン」を終了する。
【００６８】
ステップ３０Ｃ１で、まかなうことができないと判定すると、当該高消費電力時間帯で使用される負荷電力のすべてに蓄電池３３の蓄電量を供給できない可能性があるため、この状況を回避する必要がある。したがって、蓄電池３３の蓄電量を当該高消費電力時間帯に優先して供給するように放電する制御を実施する。
【００６９】
そしてステップ３０Ｃ３で、前述のステップ２０Ｃで決定した高消費電力時間帯になったか否かを判定する。ステップ３０Ｃ３で高消費電力時間帯になったと判定すると、ステップ４０Ｃで、充放電許可部３１１は充放電実行部３２１に対して放電許可を指示する。そして、ステップ５０Ｃで充放電実行部３２１は、蓄電池３３の放電を実施する。
【００７０】
蓄電池３３の放電は、ステップ６０Ｃで高消費電力時間帯が終了したと判定するまで継続する。ステップ６０Ｃで高消費電力時間帯の終了を判定すると、ステップ７０で蓄電池３３からの放電を終了し、「蓄電池の放電制御ルーチン」を終了する。
間帯に蓄電池３３からの放電を実施する。
【００７１】
本実施形態の電力供給システム１００がもたらす作用効果について説明する。電力供給システム１００は、電力使用実績に係る学習情報を用いて、１日のうち負荷機器によって消費されると予測される負荷電力が集中する高消費電力時間帯を決定する（ステップ２０Ｃ）。さらに当該高消費電力時間帯以外の時間帯に消費すると予測される負荷電力と当該高消費電力時間帯に消費すると予測される負荷電力とを、蓄電装置の蓄電量でまかなうことができないと判定した場合には、蓄電装置からの放電を当該高消費電力時間帯に優先して実施する（ステップ３０Ｃ１、ステップ３０Ｃ３、ステップ５０Ｃ）。
【００７２】
この制御によれば、他の時間帯よりも負荷電力の集中する高消費電力時間帯を、使用者における電力需要実態の観点から最重要時間帯として認識する。そして、電力供給契約に基づいて安価に設定された深夜料金時間帯に系統電力から充電した蓄電池の蓄電量は、他の時間帯よりも高需要の高消費電力時間帯に優先して振り分けられるのである。したがって、蓄電池の蓄電量を電力の高需要時間帯に有効に活用し、さらに当該蓄電量を余すことなく使い切ることにも寄与するため、使用者の利便性が向上するとともに、省エネルギーの観点からも電力の有効利用が図れる。また、高需要と認定される高消費電力時間帯は、学習情報を用いて決定されるため、使用者の使用実態に適合した重要な電力需要時間帯として高精度に抽出することができる。
【００７３】
（他の実施形態）
以上、本発明の好ましい実施形態について説明したが、本発明は上述した実施形態に何ら制限されることなく、本発明の主旨を逸脱しない範囲において種々変形して実施することが可能である。
【００７４】
上記実施形態では、蓄電池３３は定置式の二次電池であったが、これに限定されるものではない。蓄電装置は、充放電可能な蓄電手段であればよく、例えばキャパシタ等を採用することもできる。
【００７５】
上記実施形態では、建物１は一般住宅であったが、これに限定されるものではない。例えば、建物１は、店舗、工場、倉庫等の施設も含む。
【００７６】
上記実施形態では、建物１や蓄電ユニット３０において利用する自然エネルギーは、太陽光エネルギーであるが、これに限定しないことはいうまでもない。利用する自然エネルギーは、太陽熱エネルギー、風力エネルギー、水力エネルギー等であり、これらの自然界のエネルギーから各種発電装置を用いて得られた系統外電力が交流電源線７に供給される。交流電源線７には、これら各種の自然エネルギーを利用する装置が接続可能となっており、各種負荷機器に給電可能となっている。
【００７７】
上記実施形態における負荷機器には、蓄熱用機器を含むようにしてもよい。蓄熱用機器は、太陽光発電電力、系統電力等を熱エネルギーに変えて蓄える機器である。当該蓄熱用機器は、例えば、内部に給湯用の湯を蓄えるタンクと、水を沸き上げてタンク内に蓄える湯とするヒートポンプ装置と、各部を制御する蓄熱用制御装置と、を備える。この蓄熱用機器は、太陽光発電電力、系統電力等を使用してヒートポンプ装置によって湯を沸かし、沸き上げた湯をタンク内に熱量として蓄える。
【符号の説明】
【００７８】
１…建物
２…電力系統
１４…２００Ｖ機器（負荷機器）
１５…１００Ｖ機器（負荷機器）
１７…操作パネル（制御装置）
３１…システムＥＣＵ（制御装置）
３３…蓄電池（蓄電装置）
１００…電力供給システム
【図１】
2012186950.tif 000003
【図２】
2012186950.tif 000004
【図３】
2012186950.tif 000005
【図４】
2012186950.tif 000006
【図５】
2012186950.tif 000007
【図６】
2012186950.tif 000008
【図７】
2012186950.tif 000009